(57)【要約】【課題】回折の影響を低減し、光学性能を従来よりも向上させることができる光学構造体、導光体、および発光装置を提供する。【解決手段】反射パターン（１０Ａ）は、光の進行方向を変化させて出射させる光学構造体であって、平坦な面からなり、光の進行方向を変化させる反射面（２０）と、反射面（２０）に隣接して形成され、円柱の側面に対応する湾曲形状を有する面を含む両端湾曲面（３０）とを備えている。【選択図】図１
2018152302.tif 000002
【特許請求の範囲】
【請求項１】
光の進行方向を変化させて出射させる光学構造体であって、
平坦な面からなり、光の進行方向を変化させる第１面と、
前記第１面に隣接して形成され、円柱の側面に対応する湾曲形状を有する面を含む第２面とを備える光学構造体。
【請求項２】
前記第１面において、入射した光を反射または屈折させることにより、当該光の経路を変更する請求項１に記載の光学構造体。
【請求項３】
前記第１面の外縁のうち、前記第２面とは隣接していない外縁と、前記第２面の外縁のうち、前記第１面とは隣接していない外縁とを含む仮想平面を基準面と称し、
前記第１面と前記第２面との境界線と前記基準面との間の距離の最大値をＤとし、前記第１面と前記基準面とがなす角度をθとし、前記円柱の底面の半径をＲとした場合、下記式（１）
Ｄ＜Ｒｓｉｎθ  ・・・（１）
が成り立つ請求項１または２に記載の光学構造体。
【請求項４】
前記第１面の外縁のうち、前記第２面とは隣接していない外縁と、前記第２面の外縁のうち、前記第１面とは隣接していない外縁とを含む仮想平面を基準面と称し、
前記第１面の外縁のうち、前記第２面と隣接している外縁を第１外縁とし、前記基準面と隣接している外縁を第２外縁直線とし、
前記第１外縁上の点から前記第２外縁直線へ至る垂線の長さの最大値は、前記円柱の底面の半径よりも短い請求項１から３のいずれか１項に記載の光学構造体。
【請求項５】
前記第１面の外縁のうち、前記第２面とは隣接していない外縁と、前記第２面の外縁のうち、前記第１面とは隣接していない外縁とを含む仮想平面を基準面と称し、
前記第１面の外縁のうち、前記第２面と隣接している外縁を第１外縁とし、前記基準面と隣接している外縁を第２外縁直線とし、
前記第１外縁と前記第２外縁直線との交点において、前記第１外縁が示す曲線の接線の、前記第２外縁直線に対する傾きは、９０度未満である請求項１から４のいずれか１項に記載の光学構造体。
【請求項６】
前記第２面は、両端に前記湾曲形状を含み、２つの前記湾曲形状は、互いに隣接している請求項１から５のいずれか１項に記載の光学構造体。
【請求項７】
前記第２面は、両端に前記湾曲形状の面を含み、前記湾曲形状の面の間には平面が含まれている請求項１から５のいずれか１項に記載の光学構造体。
【請求項８】
前記第２面の両端に前記湾曲形状が形成されており、
前記湾曲形状のそれぞれは、前記円柱としての第１円柱の側面に対応する第１湾曲面および前記円柱としての第２円柱の側面に対応する第２湾曲面を有し、
前記第１面に立てた垂線に沿う方向から前記第１面を見たとき、前記第１円柱の底面の中心と前記第２円柱の底面の中心とは、前記第１面と前記第２面との境界線の互いに反対側に位置している請求項１または２に記載の光学構造体。
【請求項９】
入射した光を導光し、その一部を光出射面から出射させる導光体であって、
請求項１から８のいずれか１項に記載の光学構造体を複数備える導光体。
【請求項１０】
請求項９に記載の導光体と、
前記導光体に光を入射する光源とを備える表示装置。
【請求項１１】
前記導光体から出射する光の指向性を利用した表示を行う請求項１０に記載の表示装置。
【発明の詳細な説明】
【技術分野】
【０００１】
本発明は、光の進行方向を変化させて出射させる光学構造体、該光学構造体を備えた導光体、および該導光体を備えた表示装置に関する。
【背景技術】
【０００２】
従来、光源から出射された光を導光板の側面から入射させ、導光板の裏面側に設けられた反射パターンにより反射させて導光板の表面から出射させる技術が知られている。
【０００３】
例えば、特許文献１には、図８に示すように、導光板１２０の裏面１２４における所定の文字に対応する形状の領域に三角プリズム型の反射パターン１３０を配置し、光源１００または光源１１０を交互に点灯させることによって、導光板１２０の表面１２３側に異なる文字を表示する技術が開示されている。
【先行技術文献】
【特許文献】
【０００４】
【特許文献１】国際公開第２００１／０５０４４４号公報（２００１年７月１２日公開）
【発明の概要】
【発明が解決しようとする課題】
【０００５】
ここで、反射パターン１３０は、光に対してスリットの様な働きもし、光を回折させる。そのため、反射パターン１３０の反射面１３１により反射された光には、図９の（ａ）に示すように、回折による広がりが生じる。
【０００６】
図９の（ｂ）は、反射パターン１３０を表面１２３側（図９の（ａ）における上側）から見た平面図である。反射面１３１の短手方向の長さＬが短くなるほど、換言すれば反射パターン１３０のパターン深さが浅いほど、上記回折の影響が顕著になる。
【０００７】
長さＬが一定な反射パターン１３０では、回折によって、角度方向に対して例えばベッセル関数の様に離散的な光を出射する振る舞いをする。その結果、反射パターン１３０の光学性能が悪化してしまう。本明細書において「反射パターンの光学性能」とは、導光板１２０の表面１２３側に表示される文字、図形、記号、立体画像、および投影画像等の表示品質に関する性能を意味し、換言すれば導光板１２０の光分け演出性および画質の良否に関する性能を意味する。
【０００８】
本発明は、上記の問題点に鑑みてなされたものであり、その目的は、回折の影響を低減し、光学性能を従来よりも向上させることができる光学構造体、導光体、および発光装置を提供することにある。
【課題を解決するための手段】
【０００９】
上記の課題を解決するために、本発明の一態様における光学構造体は、光の進行方向を変化させて出射させる光学構造体であって、平坦な面からなり、光の進行方向を変化させる第１面と、前記第１面に隣接して形成され、円柱の側面に対応する湾曲形状を有する面を含む第２面とを備えている。
【００１０】
ここで、例えば三角プリズム型の反射パターンのようにパターン深さが一定の場合、反射パターンは、回折によって例えばベッセル関数の様に離散的な光を出射する振る舞いをする。
【００１１】
上記の構成によれば、光学構造体の第１面の外縁には、第２面の湾曲形状に対応する円弧が含まれている。そのため、該円弧に対応して、第１面における底辺に垂直な垂線の長さ（パターン深さに対応）が徐々に変化する。これにより、回折による離散度合が変化するため、異なる離散度合の光が重なり合う。その結果、光学構造体から出射する光の離散性を緩和することができる。
【００１２】
また、パターン深さが小さい反射パターンは、回折の影響を受け易く、極端に離散度合が大きくなる。上記の構成によれば、一定の割合で深さを変える場合よりも、深さが小さい部分をなるべく少なくすることができる。さらには、パターン深さが小さくなるに従って、パターン深さの変化量が大きくなる形状とすることができる。
【００１３】
したがって、回折の影響を低減し、光学性能を従来よりも向上させることができる。
【００１４】
また、本発明の一態様における光学構造体は、前記第１面において、入射した光を反射または屈折させることにより、当該光の経路を変更する。
【００１５】
上記の構成によれば、簡単な構成で光の光路を変更することができる。光学構造体は、例えば導光体の底面に凹部状に設けられ、導光体に入射した光を反射して表面側から出射する反射パターンとすることができ、または、入射した光を屈折して底面側から出射する屈折パターンとすることもできる。また、光学構造体は、凸形状に設けることもできる。
【００１６】
本発明の一態様における光学構造体は、さらに、前記第１面の外縁のうち、前記第２面とは隣接していない外縁と、前記第２面の外縁のうち、前記第１面とは隣接していない外縁とを含む仮想平面を基準面と称し、前記第１面と前記第２面との境界線と前記基準面との間の距離の最大値をＤとし、前記第１面と前記基準面とがなす角度をθとし、前記円柱の底面の半径をＲとした場合、下記式（１）
Ｄ＜Ｒｓｉｎθ  ・・・（１）
が成り立つことが好ましい。
【００１７】
ここで、例えばフラットエンドミルを使用して、導光体の表面に光学構造体を形成する場合、または鋳型となる物体の表面に光学構造体に対応する凹部を形成する場合に、フラットエンドミルを円柱と見なした場合の、当該円柱の長軸に対して垂直な平面で当該円柱を切断したときの断面の半径をＲとする。この断面の半径は、前記円柱の底面の半径Ｒに対応する。
【００１８】
フラットエンドミルの回転中心軸近傍の回転速度は比較的低いため、回転中心軸近傍では鏡面を形成することが困難である。
【００１９】
上記の構成によれば、前記第１面またはその鋳型を形成するときに、フラットエンドミルの回転中心軸近傍の領域は使用されない。そのため、切削後の光学構造体、または鋳型を用いて射出成形した光学構造体の第１面の全体を鏡面にすることができる。したがって、光学性能をより一層向上させることができる。
【００２０】
また、本発明の一態様における光学構造体は、前記第１面の外縁のうち、前記第２面とは隣接していない外縁と、前記第２面の外縁のうち、前記第１面とは隣接していない外縁とを含む仮想平面を基準面と称し、前記第１面の外縁のうち、前記第２面と隣接している外縁を第１外縁とし、前記基準面と隣接している外縁を第２外縁直線とし、前記第１外縁上の点から前記第２外縁直線へ至る垂線の長さの最大値は、前記円柱の底面の半径よりも短いことが好ましい。
【００２１】
上記の構成によれば、前記第１外縁上の点から前記第２外縁直線へ至る垂線の長さの最大値は、前記円柱の底面の半径よりも短い。つまり、第１面またはその鋳型を形成するときに、フラットエンドミルの回転中心軸近傍の領域は使用されない。そのため、第１面の全体を鏡面にすることができる。
【００２２】
また、本発明の一態様における光学構造体は、前記第１面の外縁のうち、前記第２面とは隣接していない外縁と、前記第２面の外縁のうち、前記第１面とは隣接していない外縁とを含む仮想平面を基準面と称し、前記第１面の外縁のうち、前記第２面と隣接している外縁を第１外縁とし、前記基準面と隣接している外縁を第２外縁直線とし、前記第１外縁と前記第２外縁直線との交点において、前記第１外縁が示す曲線の接線の、前記第２外縁直線に対する傾きは、９０度未満であることが好ましい。
【００２３】
上記の構成によれば、前記第１外縁と前記第２外縁直線との交点において、前記第１外縁が示す曲線の接線の、前記第２外縁直線に対する傾きは、９０度未満である。この構成は、第１面またはその鋳型を形成するときに、フラットエンドミルの回転中心軸近傍の領域を使用しないことにより実現される。そのため、第１面の全体を鏡面にすることができる。
【００２４】
また、本発明の一態様における光学構造体は、前記第２面は、両端に前記湾曲形状を含み、２つの前記湾曲形状は、互いに隣接しているとすることができる。
【００２５】
上記の構成によれば、反射面である第１面が円の一部である光学構造体を実現できる。
【００２６】
また、本発明の一態様における光学構造体は、前記第２面は、両端に前記湾曲形状の面を含み、前記湾曲形状の面の間には平面が含まれている。
【００２７】
上記の構成によれば、反射面である第１面が横長の光学構造体を実現できる。
【００２８】
また、本発明の一態様における光学構造体は、前記第２面の両端に前記湾曲形状が形成されており、前記湾曲形状のそれぞれは、前記円柱としての第１円柱の側面に対応する第１湾曲面および前記円柱としての第２円柱の側面に対応する第２湾曲面を有し、前記第１面に立てた垂線に沿う方向から前記第１面を見たとき、前記第１円柱の底面の中心と前記第２円柱の底面の中心とは、前記第１面と前記第２面との境界線の互いに反対側に位置していてもよい。
【００２９】
上記の構成によれば、反射面である第１面の両端部が波型の形状の湾曲面を有する光学構造体を実現できる。
【００３０】
上述の光学構造体を備える導光体、前記導光体と当該導光体に光を入射する光源とを備える表示装置、および、前記導光体から出射する光の指向性を利用した表示を行う表示装置も本発明の技術的範囲に含まれる。
【発明の効果】
【００３１】
本発明の一態様によれば、回折の影響を低減し、光学性能を従来よりも向上させることができる光学構造体、導光体、および発光装置を提供することができるという効果を奏する。
【図面の簡単な説明】
【００３２】
【図１】（ａ）は実施形態１における反射パターンの構成を示す平面図であり、（ｂ）は（ａ）のＡ−Ａ線矢視断面図であり、（ｃ）は上記反射パターンの構成を示す斜視図である。
【図２】端部ｅを拡大して示す図である。
【図３】（ａ）は導光板の裏面に形成された実施形態２における反射パターンを示す断面図であり、（ｂ）は反射面の表面に対して垂直な方向から見た、上記反射パターンの形状を説明するための図である。
【図４】（ａ）は上記反射パターンの製造に用いられる工具の正面図であり、（ｂ）は上記工具の側面図であり、（ｃ）は上記工具を用いて鋳型を製造する様子を示す断面図である。
【図５】（ａ）は実施形態３における反射パターンの構成を示す平面図であり、（ｂ）は上記反射パターンの構成を示す斜視図である。
【図６】本発明の一態様における発光装置を示す平面図である。
【図７】本発明の実施形態４における反射パターンの形状を説明するための図であり、反射面の表面に対して垂直な方向から見た図である。
【図８】（ａ）は従来の導光板を示す平面図であり、（ｂ）はその断面図である。
【図９】（ａ）は従来の導光板を示す断面図であり、（ｂ）は反射パターンを上側から見た平面図であり、（ｃ）は台形プリズム型の反射パターンを示す側面図である。
【発明を実施するための形態】
【００３３】
〔実施形態１〕
本発明の一実施形態について、図１、図２および図６に基づいて説明すれば、以下のとおりである。本実施の形態では、光の進行方向を変化させて出射させる光学構造体の一例としての、例えば、導光板の裏面に凹部状に形成された反射パターンについて説明する。このような導光板は、例えば、次のように製造することができる。すなわち、金属体を加工して鋳型を作製し、作製した鋳型を用いて電鋳する。電鋳により得られた金型を用いて射出成形することにより、上記導光板を形成することができる。
【００３４】
＜表示装置１＞
図６に基づいて、本発明の一態様における表示装置１について説明する。図６は、本発明の一態様における表示装置１の概要を示す平面図である。
【００３５】
図６に示すように、表示装置１は、複数の光源２ａを含む光源群２と、光源２ａから入射した光を導光し、その一部を光出射面４１から出射させる導光板（導光体）４と、複数の光源２ａの発光状態を制御する光源制御部３と、を備えている。
【００３６】
導光板（導光体）４における光出射面４１とは反対側の裏面に、本実施の形態の反射パターンが凹部状に複数形成されている。光源２ａから導光板４内に入射した光は、導光板４内を全反射しながら導光板４内を伝播し、上記反射パターンによって進行方向が変化させられた一部の光が光出射面４１から出射される。
【００３７】
これにより、複数の反射パターンによって進行方向が変化させられて出射された光によって、例えば反射パターンの配置に対応する図柄を光出射面４１に発光表示させることができる。
【００３８】
なお、表示装置１は、２次元（２Ｄ）の画像を表示する態様に限定されず、３次元（３Ｄ）表示が可能な表示装置であってもよい。
【００３９】
＜反射パターン１０Ａ＞
図１および図２に基づいて、本実施の形態の反射パターン（光学構造体）１０Ａの構成について説明する。本実施の形態の反射パターン１０Ａは、導光板４の裏面に設けられた、凹部状の中空の構造である。ここで、本発明の理解を容易にするために、図１の（ａ）および図２の説明においては、反射パターン１０Ａを、導光板４の裏面から内側に突出した凸部状の構造とみなして説明する。換言すれば、導光板４の内部側から反射パターン１０Ａを見た場合の構造について説明する。
【００４０】
図１の（ａ）は本実施の形態における反射パターン１０Ａの構成を示す平面図であり、図１の（ｂ）は（ａ）のＡ−Ａ線矢視断面図であり、図１の（ｃ）は反射パターン１０Ａの構成を示す斜視図である。ここで、上述のように、反射パターン１０Ａは導光板４の裏面側に設けられているとし、導光板４の光出射面４１側を上方向とし、裏面側を下方向としている。図１の（ｃ）においては、導光板４を透過して示し、比較的疎な点線として示す外縁曲線３４は、密な点線として示す頂部外縁２３および外縁直線２４からなる反射面２０よりも奥側に位置している。
【００４１】
図１の（ａ）〜（ｃ）に示すように、本実施の形態における反射パターン１０Ａは、平坦な面からなり光を正反射する反射面（第１面）２０と、湾曲形状を有する湾曲面３１を両端部に含む両端湾曲面（第２面）３０とを有している。反射面２０と両端湾曲面３０とは互いに隣接している。
【００４２】
導光板４における、反射パターン１０Ａが形成されている裏面を基準面４０とすると、反射パターン１０Ａの下側（図１の（ａ）における紙面に垂直な方向の奥側）は、基準面４０に形成された開口部となっている。
【００４３】
反射面２０は、基準面４０に対して鋭角の傾斜角度にて傾斜した平坦な面であり、導光板４に入射した光を導光板４の光出射面４１に向けて反射する。反射面２０は、その外縁が、反射パターン１０Ａの頂部における稜線である頂部外縁（第１外縁）２３と、基準面４０と隣接している直線状の外縁直線（第２外縁直線）２４とからなっている。この頂部外縁２３の両端部は湾曲している。換言すれば、頂部外縁２３は、外縁直線２４の両端からそれぞれ互いに距離が近づく方向に立ち上がる円弧状の線と、それら２つの円弧の先端同士を互いに結ぶ線分とからなる。
【００４４】
両端湾曲面３０は、上記頂部外縁２３を介して反射面２０と隣接している。両端湾曲面３０が含む湾曲面３１は、円柱の側面に対応する湾曲形状を有する面である。ここで、この湾曲面３１および上記円柱についての理解を容易にするために、反射パターン１０Ａの製造方法を概略的に説明する。湾曲面３１は、例えば以下のようにして形成される。
【００４５】
すなわち、例えばフラットエンドミルを用いて、金属体を加工して鋳型を作製し、作製した鋳型を用いて電鋳することにより金型を作製する。作製した金型を用いて射出成形することにより、反射パターン１０Ａが形成された導光板４を得ることができる。反射パターン１０Ａは、金属体を加工して鋳型に形成した凹部と略同一の形状となる。
【００４６】
上記フラットエンドミルを所望の方向に動かして加工することにより、円柱形状のフラットエンドミルの先端側が反射面１１に対応する面を上記鋳型に形成し、フラットエンドミルの側面の回転に対応して、両端湾曲面３０の両端部の湾曲面３１に対応する面が上記鋳型に形成される。つまり、湾曲面３１は、上記エンドミルの円柱形状に対応する円筒面となっている。
【００４７】
また、両端湾曲面３０は、両端部の湾曲面３１の間は平面３２となっている。両端湾曲面３０は、その外縁が、上記頂部外縁２３と、湾曲面３１に対応する曲線および平面３２に対応する直線とからなる外縁曲線（前記第１面とは隣接していない外縁）３４とからなっている。外縁曲線３４は、基準面４０に含まれる線分であって、頂部外縁２３と同様の形状の線分である。
【００４８】
また、基準面４０は、外縁直線（前記第２面とは隣接していない外縁）２４と外縁曲線３４とを含む仮想平面であると表現することもできる。
【００４９】
反射パターン１０Ａの両端部を端部ｅとする。端部ｅは、頂部外縁２３と外縁直線２４と外縁曲線３４とが交わる頂点ｖの近傍部分である。
【００５０】
図２は、端部ｅを拡大して示す図である。ここで、上述のとおり、例えば三角プリズム型の反射パターンのようにパターン深さが一定の場合、反射パターンは、回折によって例えばベッセル関数の様に離散的な光を出射する振る舞いをする。よって、反射パターンの光学性能が悪化するという課題があった。
【００５１】
そこで、本発明者らは、図２に示すように、反射パターン１０Ａの端部ｅを以下のような構成とすることにより、回折の影響を低減し、光学性能を従来よりも向上させることができることを見出した。
【００５２】
すなわち、端部ｅでは、両端湾曲面３０が有する湾曲面３１に対応する円弧を有している。ここで、湾曲面３１の頂点ｖにおける接線と、外縁直線２４とが成す角の角度をαとすると、角度αは９０度以下となっている。そのため、反射面２０の頂部外縁２３の円弧、および両端湾曲面３０が含む湾曲面３１の湾曲形状によって反射面２０における外縁直線２４に垂直な垂線の長さ（パターン深さに対応）が徐々に変化する。これにより、回折による離散度合が変化するため、異なる離散度合の光が重なり合う。その結果、反射パターン１０Ａから出射する光の離散性を緩和することができる。
【００５３】
ここで、一定の割合でパターン深さを変える方法も考えられるが、前述のように、パターン深さが小さい部分では、回折の影響を受け易く、極端に離散度合が大きくなる。これに対して、反射パターン１０Ａは、上記円弧を有していることにより、一定の割合で深さを変える場合よりも、深さが小さい部分をなるべく少なくすることができる。さらには、パターン深さが小さくなるに従って、パターン深さの変化量が大きくなる形状となっている。
【００５４】
したがって、回折の影響を低減し、光学性能を従来よりも向上させることができる。
【００５５】
また、本発明の一態様における反射パターン１０Ａは、以下のような効果も奏する。すなわち、図９の（ｂ）に示すような従来の三角プリズム型の反射パターン１３０を射出成形で形成した場合、反射パターン１３０の側面に成形ダレが生じることがある。そのような成形ダレは、反射パターン１３０の側面方向から入射した光を反射（散乱）する。ここで、反射パターン１３０の側面方向（図９の（ｂ）における紙面に垂直な方向）から光を入射させる場合とは、該反射パターン１３０を光が透過すること、すなわち該反射パターン１３０における反射光が表面１２３から出射しないことを意図している場合である。
【００５６】
成形ダレによって反射（散乱）した光の一部が表面１２３から漏出することにより、導光板１２０の表面１２３側に、意図しない発光（ノイズ光）が観察される。そのため、反射パターン１３０の光学性能が悪化し得る。
【００５７】
ここで、上述のような成形ダレが生じ難い形状として、図９の（ｃ）に示すような、例えば台形プリズム型の反射パターン１４０が考えられる。このような台形プリズム型の反射パターン１４０では、台形の下底１４１の両端に突端部１４２があるため、成形ダレが生じることが抑制され得る。
【００５８】
しかしながら、反射パターン１４０を射出成形する場合に、成形ダレが生じることを抑制するためには、台形の底角をある程度小さくする必要がある。この場合、底辺１４３と斜辺１４４との距離が近い部分（回折の影響を受け易い部分）が多くなる。その結果、上述した回折の影響が顕著になり、表面１２３から出射される光の指向性が広がるため、光学性能が悪化してしまう。
【００５９】
これに対して、本発明の一態様における反射パターン１０Ａは、端部ｅにおいて、両端湾曲面３０が有する湾曲面３１に対応する円弧を有している。また、湾曲面３１の頂点ｖにおける接線と、外縁直線２４とが成す角の角度をαとすると、角度αは９０度以下となっている。そのため、反射パターン１０Ａを射出成形にて形成する場合に、反射面２０の頂部外縁２３の円弧、および両端湾曲面３０が含む湾曲面３１の湾曲形状によって樹脂の流動を滑らかなものとすることができる。その結果、反射パターン１０の射出成型時に成形ダレが生じることを抑制することができ、ノイズ光の発生を抑制することもできる。
【００６０】
したがって、成形ダレによるノイズ光の発生および回折の影響を低減し、光学性能を従来よりも向上させることができる。
【００６１】
（変形例１）
上記実施形態１では、本発明の一態様における光学構造体として、射出成形により形成された導光板の裏面に凹部状に形成された反射パターン１０Ａについて説明した。本発明の一態様における光学構造体としては、必ずしもこれに限らない。例えば、導光板の裏面を切り欠くことによって形成された凹部状のパターンであってもよい。また、導光板から外側に突出するように形成された凸形状の反射パターンであってもよい。また、本発明の一態様における光学構造体は、導光板と一体に設けられる構成に限られず、例えば導光板の裏面に取り付けられるものであってもよい。この場合、本発明の一態様における光学構造体は、光を全反射させる材料から成るものであってもよい。
【００６２】
或いは、本発明の一態様における光学構造体は、導光板の裏面に設けられた凹部状のパターンであって、導光板に入射した光を屈折させることにより、当該光の経路を変更する出射構造体であってもよい。この場合、導光板の裏面から、屈折光が出射される。
【００６３】
（変形例２）
上記実施形態１における表示装置１は、導光板４に入射した光が、反射パターン１０Ａの配置および向きに応じて進行方向が変化させられて、光出射面４１から出射して光出射面４１に２次元の画像等を表示させる装置であった。ただし、本発明の一態様における光学構造体、該光学構造体を備えた導光体、および該導光体を備えた表示装置は、２次元の画像等を表示させることに限定されない。
【００６４】
本発明の一態様における表示装置は、３次元映像（立体画像）を空間投影するものであってよい。例えば、複数の反射パターンが配列されて、導光板４の光出射面４１側に左眼用画像と右眼用画像とが表示され、観察者が立体感のある面画像を観測することができるような表示装置に、本発明の一態様における光学構造体は適用することができる。
【００６５】
また、本発明の一態様における表示装置は、例えば、入射された画像光を複数の光学構造体が反射または屈折する構成であってもよい。反射または屈折された光は、光出射面４１から出射され、平面上の結像点にて結像する。これにより、ユーザは、仮想の平面を見たときに、空中に投影された画像を視認することができる。本発明の一態様における光学構造体は、このような表示装置にも適用することができる。
【００６６】
また、本発明の一態様における表示装置は、導光板４から出射する光の指向性を利用して、図柄、絵、像等の表示を行う表示装置であってもよい。
【００６７】
具体的には、表示装置は、導光板を用いて、図柄の表示切替や、指向性を利用して図柄の発光状態が均一でない特殊な見栄え表現を行うものであってもよく、導光板を用いて、二眼式または多眼式の立体表示を行うものであってもよい。また、導光板を用いた場合の結像方式としては、公知の方式を使用することができる。
【００６８】
〔実施形態２〕
本発明の他の実施形態について、図３および図４に基づいて説明すれば、以下のとおりである。尚、本実施の形態において説明すること以外の構成は、前記実施形態１と同じである。また、説明の便宜上、前記実施形態１の図面に示した部材と同一の機能を有する部材については、同一の符号を付し、その説明を省略する。
【００６９】
従来、フラットエンドミルを用いて例えば導光板の裏面に凹部状のパターンを形成すること、および射出成型用の金型を製造することがあった。ここで、フラットエンドミルの回転中心の回転速度は０であり、回転中心軸近傍の回転速度は比較的低いことから、回転中心軸近傍では切削対象の面が荒れて鏡面にならないという課題があった。
【００７０】
本実施の形態は、上記のような問題に鑑みてなされたものであって、その目的は、第１面の全体を鏡面にすることができ、光学性能をより一層向上させることができる光学構造体を提供することにある。
【００７１】
図３の（ａ）は導光板４の裏面に形成された本実施の形態の反射パターン１０Ｂを示す断面図であり、図３の（ｂ）は反射面２０の表面に対して垂直な方向から見た、反射パターン１０Ｂの形状を説明するための図である。
【００７２】
図３に示すように、導光板４の裏面（基準面４０）に反射パターン１０Ｂが設けられている。導光板４の側面から入射した光は、反射パターン１０Ｂの反射面２０にて正反射されて、導光板４の光出射面４１から出射される。
【００７３】
反射面２０と両端湾曲面３０が含む平面３２との境界線（頂部外縁２３）と、基準面４０との間の距離の最大値をＤとする。また、反射面２０と基準面４０とがなす角度をθとする。また、反射面２０の斜面の長さ、すなわち反射面２０上にける頂部外縁２３と外縁直線２４との間の距離の最大値をｌとする。
【００７４】
ここで、反射パターン１０Ｂの湾曲面３１は、円柱の側面に対応する湾曲形状を有する面であり、この円柱の底面５０の半径をＲとし、円柱の底面の中心の点をＰとする。図３に、半径Ｒおよび点Ｐを示す。説明を簡単にするために、例えば、導光板４の裏面を切り欠いて反射パターン１０Ｂを形成する場合、フラットエンドミルを用いることができ、該フラットエンドミルの先端面が、上記円柱の底面に相当することになる。
【００７５】
本実施の形態の反射パターン１０Ｂは、下記式（１）
Ｄ＜Ｒｓｉｎθ  ・・・（１）
が成り立つ。
【００７６】
また、本実施の形態の反射パターン１０Ｂは、他の側面では、頂部外縁（第１外縁）２３上の点から外縁直線（第２外縁直線）２４へ至る垂線の長さの最大値（距離ｌ）は、前記円柱の底面の半径よりも短い。つまり、上記距離ｌは半径Ｒよりも短い。
【００７７】
また、本実施の形態の反射パターン１０Ｂは、他の側面では、頂部外縁（第１外縁）２３と外縁直線（第２外縁直線）２４との交点である点ｖにおいて、頂部外縁２３が示す曲線の接線５１の、外縁直線２４に対する傾き（角度β）は、９０度未満である。
【００７８】
（反射パターン１０Ｂの製造方法）
図４の（ａ）は反射パターン１０Ｂの製造に用いられる工具６０の正面図であり、（ｂ）は工具６０の側面図であり、（ｃ）は工具６０を用いて鋳型７０を製造する様子を示す断面図である。
【００７９】
反射パターン１０Ｂは、フラットエンドミルを用いて製造することができるが、ここでは、先端にダイヤモンドバー６１が装着された工具６０を用いる。ダイヤモンドバー６１は切れ味が優れており、ダイヤモンドバー６１を用いることにより、加工面をより精密に鏡面加工することができる。工具６０が回転中心軸６２を中心として回転することにより、ダイヤモンドバー６１が旋回し、対象物を切削する。
【００８０】
図４の（ｃ）に示すように、工具６０の中心部（回転速度が低い部分）を使わないように、鋳型７０の表面を切削加工する。ダイヤモンドバー６１の先端の平面が、反射パターン１０Ｂの反射面２０に対応する傾斜面７１を形成する。また、工具６０が回転中心軸６２を中心として回転したときのダイヤモンドバー６１が描く軌跡は円柱形状となり、ダイヤモンドバー６１の側面によって結索された面が、反射パターン１０Ｂの両端湾曲面３０に対応する面７２を形成する。
【００８１】
作製した鋳型７０を用いて、電鋳処理を行い、金型を作製することができる。そして、その金型を用いて射出成型することにより、反射パターン１０Ｂが形成された導光板を得ることができる。
【００８２】
尚、工具６０を用いて、鋳型７０ではなく樹脂母材を切り欠いて、反射パターン１０Ｂが形成された導光板を製造することもできる。
【００８３】
このように、本実施の形態の反射パターン１０Ｂは、反射面２０またはその鋳型を形成するときに、工具６０の回転中心軸近傍の領域は使用されない。そのため、切削後の反射パターン１０Ｂ、または鋳型を用いて射出成形して得られた反射パターン１０Ｂの反射面２０の全体を鏡面にすることができる。したがって、光学性能をより一層向上させることができる。
【００８４】
ミクロンサイズのパターンを研磨することは容易ではないし、非常に手間がかかる。また、研磨によって歪みが出たら、やり直しになってしまう。
【００８５】
これにより、全面を鏡面とすることができる。後から鏡面を形成する必要がなく、コストを低減することができる。特別な装置を使う必要がない。
【００８６】
〔実施形態３〕
本発明の他の実施形態について、図５に基づいて説明すれば、以下のとおりである。尚、本実施の形態において説明すること以外の構成は、前記実施形態１および実施形態２と同じである。また、説明の便宜上、前記実施形態１の図面に示した部材と同一の機能を有する部材については、同一の符号を付し、その説明を省略する。
【００８７】
前記実施形態１における反射パターン１０Ａでは、両端湾曲面３０は、両端部の湾曲面３１と、それらの間の平面３２とからなっていた。これに対して、本実施の形態の反射パターン１０Ｃでは、両端部の湾曲形状が互いに隣接している点が異なっている。
【００８８】
図５の（ａ）は本実施の形態における反射パターン１０Ｃの構成を示す平面図であり、図５の（ｂ）は反射パターン１０Ｃの構成を示す斜視図である。図５の（ｂ）においては、導光板４を透過して示している。
【００８９】
図５に示すように、本実施の形態の反射パターン１０Ｃは、平坦な面からなる反射面２００が円の一部である。また、反射パターン１０Ｃは、反射面２００と隣接する、湾曲形状を有する全体湾曲面３００を有している。反射面２００と全体湾曲面３００とは、頂部外縁２３０を介して隣接している。反射面２００の外縁は、頂部外縁２３０と外縁直線２４０とからなっている。全体湾曲面３００の外縁は、頂部外縁２３０と外縁曲線３４０とからなっている。頂部外縁２３０および外縁曲線３４０はそれぞれ、前記実施形態１における頂部外縁２３および外縁曲線３４の直線部分が無くなった形状であり、滑らかな曲線となっている。
【００９０】
このような反射パターン１０Ｃは、前記実施形態２にて説明したような製造方法において、工具６０を鋳型７０の表面の面内方向に動かさずに切削加工を行うことによって、製造することができる。
【００９１】
これにより、反射面２００が円の一部である反射パターン１０Ｃを実現することができる。
【００９２】
〔実施形態４〕
本発明の他の実施形態について、図７に基づいて説明すれば、以下のとおりである。尚、本実施の形態において説明すること以外の構成は、前記実施形態１および実施形態２と同じである。また、説明の便宜上、前記実施形態１の図面に示した部材と同一の機能を有する部材については、同一の符号を付し、その説明を省略する。
【００９３】
前記実施形態１における反射パターン１０Ａでは、両端湾曲面３０は、両端部の湾曲面３１が、円柱の側面に対応する、曲率が一定の湾曲形状を有していた。これに対して、本実施の形態の反射パターン１０Ｄでは、湾曲形状が、２つの円筒面からなっている点が異なっている。
【００９４】
図７は、本実施の形態における反射パターン１０Ｄの形状を説明するための図であり、反射面８０の表面に対して垂直な方向から見た図である。
【００９５】
図７に示すように、本実施の形態の反射パターン１０Ｄは、平坦な面からなる反射面８０を備え、反射パターン１０Ｄの両端における湾曲面の湾曲形状が以下のようになっている。なお、説明の便宜上、ここでは、湾曲面の湾曲形状を、反射面８０に立てた垂線に沿う方向から反射面８０を見たときの、頂部外縁２３の形状に基づいて説明する。
【００９６】
反射パターン１０Ｄにおける湾曲面の部分に対応する頂部外縁２３を、湾曲外縁８５と称する。反射パターン１０Ｄにおける湾曲面は、第１湾曲面および第２湾曲面を有している。湾曲外縁８５は、上記第１湾曲面に対応する第１湾曲外縁８６、および上記第２湾曲面に対応する第２湾曲外縁８７からなっている。
【００９７】
上記第１湾曲面は、第１円柱の側面に対応する湾曲面であり、上記第２湾曲面は、第２円柱の側面に対応する湾曲面である。ここで、第１円柱の底面５０の中心を点Ｐ、半径をＲ１とし、第２円柱の底面９０の中心を点Ｑ、半径をＲ２とする。
【００９８】
点Ｐと点Ｑとは、反射パターン１０Ｄにおける反射面８０と、湾曲面との境界線である湾曲外縁８５の互いに反対側に位置している。湾曲外縁８５は、緩やかなＳ字状のカーブを描く曲線であるということもできる。
【００９９】
上記半径Ｒ１と半径Ｒ２とは、互いに同一の値であってもよく、互いに異なる値であってもよい。
【０１００】
このような反射パターン１０Ｄは、例えば、前記実施形態２にて説明したような製造方法において、鋳型７０の切削加工を行った後に電鋳して得られた金型に対して、さらに加工することによって得られる金型を用いて、射出成形することにより製造することができる。
【０１０１】
これにより、反射面である第１面の両端部が波型の形状の湾曲面を有する光学構造体を実現できる。
【０１０２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１０３】
１        表示装置
２ａ      光源
４            導光板（導光体）
１０Ａ、１０Ｂ  反射パターン（光学構造体）
２０            反射面（第１面）
２３            頂部外縁（第１外縁）
２４            外縁直線（第２外縁直線）
３０            両端湾曲面（第２面）
３１            湾曲面（湾曲形状の面）
３２            平面
４０            基準面
４１            光出射面
２００            反射面（第１面）
３００            全体湾曲面（第２面）
【図１】
2018152302.tif 000003
【図２】
2018152302.tif 000004
【図３】
2018152302.tif 000005
【図４】
2018152302.tif 000006
【図５】
2018152302.tif 000007
【図６】
2018152302.tif 000008
【図７】
2018152302.tif 000009
【図８】
2018152302.tif 000010
【図９】
2018152302.tif 000011